【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
記録媒体から動画像データを読み出す読み出し手段と、
前記動画像データを暗号化する暗号化手段と、
前記暗号化手段により暗号化された前記動画像データを受信側のデータ処理装置に送信する送信手段と、
前記暗号化手段により暗号化された前記動画像データの転送レートを変更する変更手段とを有し、
前記受信側のデータ処理装置は、前記暗号化手段により暗号化された前記動画像データを復号する復号手段を有し、
前記変更手段は、前記暗号化手段により暗号化された前記動画像データの転送レートを、前記復号手段の処理能力に応じて変更することを特徴とするデータ処理装置。
【請求項２】
前記暗号化手段により暗号化された前記動画像データの転送レートが第１の転送レートであり、前記復号手段の処理能力に対応する転送レートが前記第１の転送レートよりも高い第２の転送レートである場合、前記変更手段は、前記暗号化手段により暗号化された前記動画像データの転送レートを、前記第１の転送レートから前記第２の転送レートに変更することを特徴とする請求項１に記載のデータ処理装置。
【請求項３】
前記暗号化手段は、前記動画像データのコピー制限に対応した暗号化処理を行うことを特徴とする請求項１又は２に記載のデータ処理装置。
【請求項４】
記録媒体から動画像データを読み出す読み出しステップと、
前記動画像データを暗号化する暗号化ステップと、
前記暗号化ステップにおいて暗号化された前記動画像データを受信側のデータ処理装置に送信する送信ステップと、
前記暗号化ステップにおいて暗号化された前記動画像データの転送レートを変更する変更ステップとをコンピュータに実行させるプログラムであって、
前記受信側のデータ処理装置は、前記暗号化ステップにおいて暗号化された前記動画像データを復号する復号手段を有し、
前記変更ステップは、前記暗号化ステップにおいて暗号化された前記動画像データの転送レートを、前記復号手段の処理能力に応じて変更することを特徴とするプログラム。
【請求項５】
前記暗号化ステップにおいて暗号化された前記動画像データの転送レートが第１の転送レートであり、前記復号手段の処理能力に対応する転送レートが前記第１の転送レートよりも高い第２の転送レートである場合、前記変更ステップは、前記暗号化ステップにおいて暗号化された前記動画像データの転送レートを、前記第１の転送レートから前記第２の転送レートに変更することを特徴とする請求項４に記載のプログラム。
【請求項６】
前記暗号化ステップは、前記動画像データのコピー制限に対応した暗号化処理を行うことを特徴とする請求項４又は５に記載のプログラム。
【手続補正２】
【補正対象書類名】明細書
【補正対象項目名】発明の名称
【補正方法】変更
【補正の内容】
【発明の名称】データ処理装置及びプログラム
【手続補正３】
【補正対象書類名】明細書
【補正対象項目名】０００１
【補正方法】変更
【補正の内容】
【０００１】
本発明は、ＭＰＥＧ２規格等に準拠した動画像データ等を処理するデータ処理装置及びプログラムに関する。
【手続補正４】
【補正対象書類名】明細書
【補正対象項目名】０００３
【補正方法】変更
【補正の内容】
【０００３】
図４は、データ処理システム４００を示す概略構成図である。本例では、記録媒体がディスクである場合を例にして説明する。
データ処理システム４００は、送信側のデータ処理装置４１０と、受信側のデータ処理装置４２０と、当該装置間を接続する通信ケーブル４３０を有している。また、送信側のデータ処理装置４１０には、送信側のディスク４０１及び表示装置４０２が接続されており、受信側のデータ処理装置４２０には、受信側のディスク４０４及び表示装置４０３が接続されている。
【手続補正５】
【補正対象書類名】明細書
【補正対象項目名】０００４
【補正方法】変更
【補正の内容】
【０００４】
送信側のディスク４０１の動画像データは、送信側のデータ処理装置４１０の記録再生部４１１で読み出された後、表示制御部４１２に送られる。表示制御部４１２では、表示装置４０２に動画を表示するためのデコード処理が施される。さらに、記録再生部４１１で読み出された動画像データは、ＩＥＥＥ  Ｓｔｄ  １３９４−１９９５等に準拠したデジタルインターフェース部４１３に入力される。そして、このデジタルインターフェース部４１３で所定のパケット化が施されて、通信ケーブル４３０を経由して、受信側のデータ処理装置４２０のデジタルインターフェース部４２１に入力される。デジタルインターフェース部４２１もＩＥＥＥ  Ｓｔｄ  １３９４−１９９５（非特許文献１参照）等に準拠する。受信側のデータ処理装置４２０では、送信側のデータ処理装置４１０から送られてきた動画像データを表示制御部４２２でデコード処理を施して表示装置４０３に表示するとともに、送信側のデータ処理装置４１０から送られてきた動画像データを記録再生部４２３によってディスク４０４に記録する。
【手続補正６】
【補正対象書類名】明細書
【補正対象項目名】００１２
【補正方法】変更
【補正の内容】
【００１２】
本発明は上述の問題点にかんがみてなされたものであり、受信側のデータ処理装置の処理能力を考慮したデータ転送を実現できるようにすることを目的とする。
【手続補正７】
【補正対象書類名】明細書
【補正対象項目名】００１３
【補正方法】変更
【補正の内容】
【００１３】
本発明に係るデータ処理装置は、記録媒体から動画像データを読み出す読み出し手段と、前記動画像データを暗号化する暗号化手段と、前記暗号化手段により暗号化された前記動画像データを受信側のデータ処理装置に送信する送信手段と、前記暗号化手段により暗号化された前記動画像データの転送レートを変更する変更手段とを有し、前記受信側のデータ処理装置は、前記暗号化手段により暗号化された前記動画像データを復号する復号手段を有し、前記変更手段は、前記暗号化手段により暗号化された前記動画像データの転送レートを、前記復号手段の処理能力に応じて変更することを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明に係るプログラムは、記録媒体から動画像データを読み出す読み出しステップと、前記動画像データを暗号化する暗号化ステップと、前記暗号化ステップにおいて暗号化された前記動画像データを受信側のデータ処理装置に送信する送信ステップと、前記暗号化ステップにおいて暗号化された前記動画像データの転送レートを変更する変更ステップとをコンピュータに実行させるプログラムであって、前記受信側のデータ処理装置は、前記暗号化ステップにおいて暗号化された前記動画像データを復号する復号手段を有し、前記変更ステップは、前記暗号化ステップにおいて暗号化された前記動画像データの転送レートを、前記復号手段の処理能力に応じて変更することを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
本発明によれば、受信側のデータ処理装置の処理能力を考慮したデータ転送を実現することができる。
【手続補正１５】
【補正対象書類名】明細書
【補正対象項目名】００２２
【補正方法】変更
【補正の内容】
【００２２】
本実施形態におけるデータ処理システム１００は、送信側のデータ処理装置１１０と、受信側のデータ処理装置１２０と、当該装置間を接続する通信ケーブル１３０を有している。また、送信側のデータ処理装置１１０には、送信側のディスク１０１及び表示装置１０２が接続されており、受信側のデータ処理装置１２０には、受信側のディスク１０４及び表示装置１０３が接続されている。